(57)【要約】  【課題】使用時には、放熱を防止して良好なサウナ効果を得られ、不使用時には、コンパクトに収容できるといった優れた個人用サウナマットを提供する。  【解決手段】ヒータをそれぞれ備えた敷マット１と掛けマット２とを具備すると共に、これら両マット１、２の周縁部の少なくとも一部同士１Ｌａ−２Ｒａを分離不能に連続させたサウナマットであって、両マット１、２の他の周縁部同士１Ｌｂ−２Ｒｂ、１Ｄ−２Ｄ、１Ｒ−２Ｌ間の全域又は略全域を、閉じた状態又は開いた状態にする開閉手段３を具備し、この開閉手段３を用いて両マット１、２の他の周縁部同士１Ｌｂ−２Ｒｂ、１Ｄ−２Ｄ、１Ｒ−２Ｌ間の全域又は略全域を閉じた状態にした場合には、敷マット１と掛けマット２とが頭部以外の身体を包み込む寝袋形状（Ｓ１）を成し、又、開いた状態にした場合には、両マット１、２を並べて配した展開形状（Ｓ２）を成すようにした。【選択図】図２
2006110026.tif 000002
【特許請求の範囲】
【請求項１】
ヒータをそれぞれ備えた敷マットと掛けマットとを具備すると共に、これら両マットの周縁部の少なくとも一部同士を分離不能に連続させたサウナマットであって、
両マットの他の周縁部同士間の全域又は略全域を、閉じた状態又は開いた状態にする開閉手段を具備し、
この開閉手段を用いて両マットの他の周縁部同士間の全域又は略全域を閉じた状態にした場合には、敷マットと掛けマットとが頭部以外の身体を包み込む寝袋形状を成し、又、開いた状態にした場合には、両マットを並べて配した展開形状を成すようにしたことを特徴とする個人用サウナマット。
【請求項２】
前記掛けマットに連続して設けられ、且つ、寝袋形状を構成する敷マットの下側に潜り込む位置に位置付けて使用する肩当部を備えていることを特徴とする請求項１記載の個人用サウナマット。
【請求項３】
前記開閉手段が、寝袋形状の内側及び外側から操作可能なファスナであることを特徴とする請求項１又は２記載の個人用サウナマット。
【請求項４】
寝袋形状の内側面を構成する両マットの表面が、撥水又は防水機能を有していることを特徴とする請求項１乃至３いずれか記載の個人用サウナマット。
【請求項５】
両マットの表面が、気密性を有していることを特徴とする請求項１乃至４いずれか記載の個人用サウナマット。
【請求項６】
両マットが平面視略矩形状を有するものであって、
両マットの一方の側縁部の足元側同士間を、分離不能に連続させると共に、
前記開閉手段を、両マットの一方の側縁部の頭部側同士間に設けていることを特徴とする請求項１乃至５いずれか記載の個人用サウナマット。
【請求項７】
両マットのヒータの設定温度を、別々又は共に制御する温度調節器を備えていることを特徴とする請求項１乃至６いずれか記載の個人用サウナマット。
【発明の詳細な説明】
【技術分野】
【０００１】
本発明は、ヒータを設けた敷マットと掛けマットとを備える個人用サウナマットに関するものである。
【背景技術】
【０００２】
近年、家庭でも手軽に利用できるような家庭用サウナが提供されるようになってきている。
【０００３】
具体的にこの種の家庭用サウナとしては、箱状のサウナ本体に、頭部以外の身体を入れて使用するタイプのもの（例えば、特許文献１参照。）や、敷マットに別体の掛けマットを掛けて使用するタイプのもの（例えば、非特許文献１参照。）等がある。
【特許文献１】実開平５−１４２
【非特許文献１】株式会社イーイーアイ、“サウナマットの使い方”、［ｏｎｌｉｎｅ］、［平成１６年１０月７日検索］、インターネット、＜http://www.ionmat.com/sauna/n4_howto.htm＞
【発明の開示】
【発明が解決しようとする課題】
【０００４】
しかしながら、特許文献１記載のものでは、例えば、収納時にコンパクトにできず、一般的な家庭で使用することが困難であるといった問題点を有している。また、非特許文献１記載のものでは、敷マットと掛けマットとも布団を折り畳むようにして収納し得るもの、敷マットと掛けマットとが独立したものであり、例えば、敷マットと掛けマットとの間に生じる隙間などから放熱し良好なサウナ効果を得られないといった問題点を有している。
【０００５】
本発明は、このような課題に着目してなされたものであって、主たる目的は、使用時には、放熱を防止して良好なサウナ効果を得られ、不使用時には、コンパクトに収容できるといった優れた個人用サウナマットを提供することにある。
【課題を解決するための手段】
【０００６】
すなわち、本発明の個人用サウナマットは、ヒータをそれぞれ備えた敷マットと掛けマットとを具備すると共に、これら両マットの周縁部の少なくとも一部同士を分離不能に連続させたサウナマットであって、両マットの他の周縁部同士間の全域又は略全域を、閉じた状態又は開いた状態にする開閉手段を具備し、この開閉手段を用いて両マットの他の周縁部同士間の全域又は略全域を閉じた状態にした場合には、敷マットと掛けマットとが頭部以外の身体を包み込む寝袋形状を成し、又、開いた状態にした場合には、両マットを並べて配した展開形状を成すようにしたことを特徴とする。
【０００７】
このようなものであれば、開閉手段によって、使用時には寝袋形状にして使用でき、又、不使用時には、展開形状にした上でコンパクトに折り畳んで収納することもできる。
【０００８】
また、当該個人用サウナマットを寝袋形状にした際には、敷マットと掛けマットとの少なくとも一部同士を分離不能に連続させているので、この部分に隙間が形成されることは無く、また、開閉手段によって、敷マットと掛けマットの他の周縁部同士間の全域又は略全域を閉じた状態にできるので、当該個人用サウナマット全体に亘って放熱を防止して良好なサウナ効果を得ることができる。
【０００９】
さらに、両マットにおける使用者が接していた使用面が汚れた場合でも、開閉手段を開くことにより当該個人用サウナマットを展開形状にして清掃可能であり、これを衛生的にできる。
【００１０】
すなわち、使用時には、放熱を防止して良好なサウナ効果を得られ、不使用時には、コンパクトに収容できる上、使用面を衛生的にできるといった優れた個人用サウナマットを提供することができる。
【００１１】
前記掛けマットに連続して設けられ、且つ、寝袋形状を構成する敷マットの下側に潜り込む位置に位置付けて使用する肩当部を備えるのであれば、この部分からの放熱を好適に抑制できる。
【００１２】
一人でも良好に操作し得るようにするには、前記開閉手段が、寝袋形状の内側及び外側から操作可能なファスナであることが望ましい。
【００１３】
寝袋形状の内側面を構成する両マットの表面が、撥水又は防水機能を有しているのであれば、使用時に出た汗を拭き取り易く衛生的にできる。
【００１４】
両マットの表面が、気密性を有しているのであれば、放熱を好適に抑制できる。
【００１５】
両マットが平面視略矩形状を有するものであって、両マットの一方の側縁部の足元側同士間を、分離不能に連続させると共に、前記開閉手段を、両マットの一方の側縁部の頭部側同士間に設けているのであれば、足元側を分離不能に連続させているので好適な保温効果が得られ、また、開閉手段を頭部側に設けているので操作し易い。
【００１６】
温度設定を、個々人の好みに好適に対応できるようにするには、両マットのヒータの設定温度を、別々又は共に制御する温度調節器を備えていることが好ましい。
【発明の効果】
【００１７】
以上説明したように本発明の個人用サウナマットによれば、開閉手段によって、使用時には寝袋形状にして使用でき、又、不使用時には、展開形状にした上でコンパクトに折り畳んで収納することもできる。
【００１８】
また、当該個人用サウナマットを寝袋形状にした際には、敷マットと掛けマットとの少なくとも一部同士を分離不能に連続させているので、この部分に隙間が形成されることは無く、また、開閉手段によって、敷マットと掛けマットの他の周縁部同士間の全域又は略全域を閉じた状態にできるので、当該個人用サウナマット全体に亘って放熱を防止して良好なサウナ効果を得ることができる。
【００１９】
さらに、両マットにおける使用者が接していた使用面が汚れた場合でも、開閉手段を開くことにより当該個人用サウナマットを展開形状にして清掃可能であり、これを衛生的にできる。
【００２０】
すなわち、使用時には、放熱を防止して良好なサウナ効果を得られ、不使用時には、コンパクトに収容できる上、使用面を衛生的にできるといった優れた個人用サウナマットを提供することができる。
【発明を実施するための最良の形態】
【００２１】
以下、本発明の一実施形態を、図面を参照して説明する。
【００２２】
本発明に係る個人用サウナマットＺは、主に家庭内で使用されるものであって、図１、図２に示すように、敷マット１と、掛けマット２と、これら敷マット１及び掛けマット２に対して設けた開閉手段３と、前記掛けマット２に連続して設けた肩当部４と、両マット１、２にそれぞれ設けたヒータの動作をコントロールするためのコントローラ５等とを具備するものであって、前記開閉手段３を閉じることにより、当該個人用サウナマットＺが寝袋形状（Ｓ１）を成し、開くことによって展開形状（Ｓ２）を成すようにしたものである。以下、各部を詳述する。
【００２３】
敷マット１は、縦２２０ｃｍ×横８０ｃｍのサイズを有する平面視略矩形状のものであって、表地及び裏地には、ナイロンやポリエステル等の気密性を有し且つ防水及び撥水機能を有する素材を用いている。また、その内部の略全領域に亘ってヒータとシートとを重合させて配している（共に図示せず）。ヒータは、ＡＣ１１０Ｖ、３６０Ｗの定格を有する折り畳み可能なフィルム式のものである。シートは、人体に有効とされるエネルギーを放出する遠赤外線放出セラミック等を用いて形成したものであって、ヒータと同様折り畳み可能なものである。
【００２４】
掛けマット２は、敷マット１と同様に縦２２０ｃｍ×横８０ｃｍのサイズを有する平面視略矩形状のものであって、頭部側の端部の略中央には、使用時に頭部を露出するための部分円弧状に切り欠いた切欠部２Ａを設けている。なお、表地及び裏地には敷マット１と同一の素材を用い、又その内部構成も敷マット１と同様にしている。
【００２５】
なお、これら敷マット１と掛けマット２とは、隣り合う側縁部１Ｌ、２Ｒの足元側同士１Ｌａ、２Ｒａで分離不能に連続させている。この連続させた部分が、「両マット１、２の周縁部の少なくとも一部同士１Ｌａ−２Ｒａ」に相当する。また、隣り合う側縁部の頭部側２Ｌｂ、２Ｒｂ、隣り合わない側縁部１Ｒ，２Ｌ、及び、足元側周縁部１Ｄ、２Ｄに、換言すれば「両マット１、２の他の他端部同士間の略全域」に、開閉手段３を設けている。
【００２６】
開閉手段３は、図１に示すように、着脱可能に噛み合う一対の務歯３１と、これら一対の務歯３１を噛み合わせたり噛み合わせを解除したりするためのスライダ３２とを具備するファスナである。なお、図２においてスライダ３２は説明の便宜上省略してある。
【００２７】
本実施形態のスライダ３２には、図３に示すように、務歯３１を案内するための案内溝３２ａを備えた胴体３２１と、この胴体３２１の一端部側から他端部側にかけて設けた半リング状のリング部３２２と、このリング部３２２に案内されて進退可能な引き手３２３とを備えるものとしている。このような構成によって、引き手３２３を、胴体３２１の一端部側に位置付けて使用したり、或いは、他端部側に位置付けて使用したりすることができる。
【００２８】
肩当部４は、平面視略矩形状を有するものであって、表地及び裏地には、敷マット１等と同一の素材を用いている。なお、本実施形態では、一対の肩当部４の外辺同士間の寸法４Ｘを、掛けマット２の幅寸法２Ｘよりも大きい寸法にするとともに、内辺同士間の寸法４Ｙを、掛けマット２の切欠部２Ａの開口寸法２Ｙと略一致させている（図２参照。）。また、この肩当部４の、掛けマット２から突出している寸法４Ｚは、掛けマット２の切欠部２Ａの切り込み深さ寸法２Ｚと略一致させている。
【００２９】
さらに、本実施形態では、肩当部４と掛けマット２の外側の周縁部との間に、肩当部４の折り込みを案内するための平面視コ字状のスリットＳＬを設けている。
【００３０】
コントローラ５は、両マット１、２のヒータの設定温度を４０度〜６５度の範囲で別々又は共に制御し得る温度調節器としての機能と、動作時間を制御し得るタイマーとしての機能とを有するものであって、敷マット１に設けたコネクタ１Ｃと着脱可能に接続されている。
【００３１】
以下、個人用サウナマットＺの使用方法を以下に説明する。
【００３２】
まず、敷マット１を図２に示す状態にし、その上に体を横たわらせる。なお、コントローラ５による温度の調節やタイマー設定は、この時までに行っておくことが望ましい。
【００３３】
次に、開閉手段３を操作して、両マット１、２の他の周縁部同士１Ｌｂ−２Ｒｂ、１Ｄ−２Ｄ、１Ｒ−２Ｌ間の略全域を閉じた状態にすると、図１に示すような寝袋形状（Ｓ１）にすることができる。なお、肩口を綴じる前に、肩当部４を、敷マット１の下側に潜り込む位置に位置付けておく必要があるが、開閉手段３の引き手３２３を、寝袋形状（Ｓ１）の内側に位置付けて操作できるので、このような寝袋形状（Ｓ１）にするのに第三者の援助を全く必要としない。
【００３４】
サウナとして使用している最中は、両マット１、２の他の周縁部同士１Ｌｂ−２Ｒｂ、１Ｄ−２Ｄ、１Ｒ−２Ｌ間の略全域が閉じれらた状態にあり、且つ、各マットの表面を気密性を有するものとしているので、ヒータで暖められた空気が、当該個人用サウナマットＺの外側に放熱することを効果的に抑制できる。このとき、敷マット１と掛けマット２とを、隣り合う側縁部の足元側同士で分離不能に連続させているので、この部分からの放熱を好適に抑制できる。
【００３５】
そして、コントローラ５のタイマーが切れるなどしてサウナとしての使用が終われば、開閉手段３を操作して両マット１、２の他の周縁部同士１Ｌｂ−２Ｒｂ、１Ｄ−２Ｄ、１Ｒ−２Ｌ間の略全域を開いた状態にして、図２に示すような展開形状にすることができる。
【００３６】
このとき、使用者の汗などの汚れが両マット１、２の表面に付いていても、両マット１、２の表地には、防水及び撥水機能を有する素材を用いているので、タオル等で拭いて清掃することにより清潔に保つことができる。
【００３７】
使用後に当該個人用サウナマットＺを押入れ等に収納する場合には、敷マット１と掛けマット２とを布団を畳むようにコンパクトに折り畳めばよい。
【００３８】
このように、本実施形態に係る個人用サウナマットＺによれば、開閉手段３によって、使用時には寝袋形状（Ｓ１）にして使用でき、又、不使用時には、展開形状にした上でコンパクトに折り畳んで収納することもできる。
【００３９】
また、当該個人用サウナマットＺを寝袋形状（Ｓ１）にした際には、敷マット１と掛けマット２との少なくとも一部同士１Ｌａ−２Ｒａを分離不能に連続させているので、この部分に隙間が形成されることは無く、また、開閉手段３によって、敷マット１と掛けマット２の他の周縁部同士１Ｌｂ−２Ｒｂ、１Ｄ−２Ｄ、１Ｒ−２Ｌ間の全域又は略全域を閉じた状態にできるので、当該個人用サウナマットＺ全体に亘って放熱を防止して良好なサウナ効果を得ることができる。
【００４０】
さらに、両マット１、２における使用者が接していた使用面が汚れた場合でも、開閉手段３を開くことにより当該個人用サウナマットＺを展開形状（Ｓ２）にして清掃可能であり、これを衛生的にできる。
【００４１】
前記掛けマット２に連続して設けられ、且つ、寝袋形状（Ｓ１）を構成する敷マット１の下側に潜り込む位置に位置付けて使用する肩当部４を備えているので、この部分からの放熱を好適に抑制できる。
【００４２】
開閉手段３が、寝袋形状（Ｓ１）の内側及び外側から操作可能なファスナであるので、一人でも良好に操作できる。
【００４３】
寝袋形状（Ｓ１）の内側面を構成する両マット１、２の表面が、撥水又は防水機能を有しているので、使用時に出た汗を拭き取り易く衛生的にできる。
【００４４】
両マット１、２の表面が、気密性を有しているので、放熱を好適に抑制できる。
【００４５】
両マット１、２が平面視略矩形状を有するものであって、両マット１、２の一方の側縁部の足元側同士間を、分離不能に連続させると共に、前記開閉手段３を、両マット１、２の一方の側縁部の頭部側同士間に設けているので、足元側を分離不能に連続させているので好適な保温効果が得られ、また、開閉手段３を頭部側に設けているので操作し易い。
【００４６】
両マット１、２のヒータの設定温度を、別々又は共に制御する温度調節器を備えているので、温度設定を、個々人の好みに好適に対応できる。
【００４７】
なお、本発明は、以上に詳述した実施形態に限られるものではない。
【００４８】
例えば、開閉手段３に、面ファスナやカギホック式のもの等を採用することもできる。
【００４９】
また、掛けマット２に頭部を露出させるための切欠部２Ａを、当該掛けマット２の頭部側の周縁部に開口させているが、開口せずに穴状のものとしてもよい。この場合には、両マット１、２の周縁部同士１Ｌｂ−２Ｒｂ、１Ｄ−２Ｄ、１Ｒ−２Ｌ間に加え、頭部側の周縁部同士間を、開閉手段３で閉じるようにすることで、放熱をより効果的に防止できる。
【００５０】
敷マット１と同様の素材で形成した枕及び足枕（共に図示せず）を、当該個人用サウナマットＺとセットにして使用するようにしてもよい。
【００５１】
敷マット１や掛けマット２、さらには肩当部４の形状やサイズ及び内部構造は、本実施形態に限られるものではない。また、両マット１、２等に用いる素材も本実施形態のものに限られない。
【００５２】
ヒータを両マット１、２に備えるようにしているが、いずれか一方にのみ設けることを妨げない。この場合には、例えば、両マット１、２の周縁部の一部同士１Ｌａ−２Ｒａを分離不能した部分で、両マット１、２の内部の空気が行き来し得るように構成すれば、ヒータで暖められた一方のマットの内部の空気を他方に伝達させて、良好なサウナ効果を得られる。
【００５３】
両マット１、２を、一方の側縁部の足元側同士間で分離不能に連続させているが、設ける場所や個数は、実施態様に応じて適宜設定できる。
【００５４】
また、当該個人用サウナマットＺを、主に家庭内で使用するものとしているが、業務用として使用することも無論可能で有る。
【００５５】
その他、各部の具体的構成についても上記実施形態に限られるものではなく、本発明の趣旨を逸脱しない範囲で種々変形が可能である。
【図面の簡単な説明】
【００５６】
【図１】本発明の一実施形態に係る個人用サウナマット（寝袋形状）を示す全体斜視図。
【図２】同実施形態における個人用サウナマット（展開形状）を示す平面図。
【図３】同実施形態における開閉手段の主要部を示す斜視図。
【符号の説明】
【００５７】
１・・・・・・敷マット
１Ｌａ・・・・周縁部の一部
１Ｌｂ・・・・他の周縁部
１Ｄ・・・・・他の周縁部
１Ｒ・・・・・他の周縁部
２・・・・・・掛けマット
２Ｒａ・・・・周縁部の一部
２Ｒｂ・・・・他の周縁部
２Ｄ・・・・・他の周縁部
２Ｌ・・・・・他の周縁部
３・・・・・・開閉手段（ファスナ）
４・・・・・・肩当部
５・・・・・・温度調節器（コントローラ）
（Ｓ１）・・・寝袋形状
（Ｓ２）・・・展開形状
Ｚ・・・・・・個人用サウナマット
【図１】
2006110026.tif 000003
【図２】
2006110026.tif 000004
【図３】
2006110026.tif 000005